(57)【特許請求の範囲】
【請求項１】
ＬＴＥワイヤレスネットワーク内でのキャリアアグリゲーション中のセカンダリコンポーネントキャリア（ＳＣＣ）の将来のスケジューリングのための方法であって、
ＳＣＣデータ受信に対する将来のサブフレームを示す、ＳＣＣの将来のスケジューリング表示を含む第１のサブフレームを受信することと、
前記第１のサブフレームを受信することに応答してＳＣＣ受信回路の電源をオフとすることと、
前記ＳＣＣの将来のスケジューリング表示の少なくとも一部に基づいて、前記将来のサブフレームにて前記ＳＣＣ受信回路を電源オンとすることと、
を含む、方法。
【請求項２】
前記ＳＣＣの将来のスケジューリング表示を受信することが、プライマリコンポーネントキャリア（ＰＣＣ）上で受信することを含む、請求項１に記載の方法。
【請求項３】
前記ＳＣＣの将来のスケジューリング表示を受信することは、前記第１のサブフレームの物理データコントロールチャネル（ＰＤＣＣＨ）情報を受信することを含み、前記第１のサブフレームのＰＤＣＣＨ情報は、前記ＳＣＣデータ受信に対するＰＤＣＣＨ  ＳＣＣ許可割り当てメッセージを含む、請求項２に記載の方法。
【請求項４】
前記ＰＤＣＣＨ  ＳＣＣ許可割り当てメッセージが、前記将来のサブフレームを計算するために、現在のサブフレームに加えられるサブフレーム数を含む、請求項３に記載の方法。
【請求項５】
前記ＳＣＣの将来のスケジューリング表示を受信することが、前記ＳＣＣ上で受信するためのウェイクアップサブフレームを含むメディアアクセス制御（ＭＡＣ）コントロールエレメント（ＣＥ）を受信することを含み、
前記ウェイクアップサブフレームは、前記将来のサブフレームを示す、請求項２に記載の方法。
【請求項６】
少なくとも前記ＭＡＣ  ＣＥに基づいて、前記ＳＣＣの受信回路を電源オンすることと、
前記ＰＣＣ及び前記ＳＣＣの１つでＰＤＣＣＨを受信することと、
物理データ共有チャネル（ＰＤＳＣＨ）を受信することと
を更に含む、請求項５に記載の方法。
【請求項７】
前記ＭＡＣ  ＣＥが、インアクティビティタイマの指定を更に含み、前記方法は、前記電源オンにて、前記インアクティビティタイマを初期化することを更に含む、請求項６に記載の方法。
【請求項８】
ＳＣＣ  ＰＤＳＣＨ上でＳＣＣダウンリンクデータの終了を受信することと、
前記インアクティビティタイマを完了することと、
の条件の少なくとも１つに基づいてＳＣＣ受信回路を電源オフとすることを更に含む、請求項７に記載の方法。
【請求項９】
ＬＴＥワイヤレスネットワーク内でのキャリアアグリゲーション中のセカンダリコンポーネントキャリア（ＳＣＣ）の将来のスケジューリングを受信するための装置であって、
ＳＣＣデータ受信に対する将来のサブフレームを示す、ＳＣＣの将来のスケジューリング表示を含む第１のサブフレームを受信するためのプライマリコンポーネントキャリア（ＰＣＣ）受信回路と、
前記ＰＣＣ受信回路に接続されたプロセッサであって、
前記第１のサブフレームを受信することに応答してＳＣＣ受信回路を電源オフとし、
前記ＳＣＣの将来のスケジューリング表示の少なくとも一部に基づいて、前記将来のサブフレームにて、前記ＳＣＣ受信回路を電源オンとする、
よう構成された前記プロセッサと、
を備える、装置。
【請求項１０】
前記ＳＣＣの将来のスケジューリング表示を受信することは、前記第１のサブフレームの物理データコントロールチャネル（ＰＤＣＣＨ）情報を受信することを含み、前記第１のサブフレームのＰＤＣＣＨ情報は、前記ＳＣＣデータ受信に対するＰＤＣＣＨ  ＳＣＣ許可割り当てメッセージを含む、請求項９に記載の装置。
【請求項１１】
前記ＰＤＣＣＨ  ＳＣＣ許可割り当てメッセージが、前記将来のサブフレームを計算するために、現在のサブフレームに加えられるサブフレーム数を含む、請求項１０に記載の装置。
【請求項１２】
前記ＳＣＣの将来のスケジューリング表示を受信することが、前記ＳＣＣ上で受信するためのウェイクアップサブフレームを含む、メディアアクセス制御（ＭＡＣ）コントロールエレメント（ＣＥ）を受信することを含み、
前記ウェイクアップサブフレームは、前記将来のサブフレームを示す、請求項９に記載の装置。
【請求項１３】
前記プロセッサが、
少なくとも前記ＭＡＣ  ＣＥに基づいて前記ＳＣＣの受信回路を電源オンし、
前記ＰＣＣ及び前記ＳＣＣの１つでＰＤＣＣＨを受信し、
物理データ共有チャネル（ＰＤＳＣＨ）を受信する様に更に構成されている、請求項１２に記載の装置。
【請求項１４】
前記ＭＡＣ  ＣＥが、インアクティビティタイマの指定を更に含み、前記装置が、前記電源オンにて、前記インアクティビティタイマを初期化することを更に含む、請求項１３に記載の装置。
【請求項１５】
前記プロセッサが、
ＳＣＣ  ＰＤＳＣＨ上でＳＣＣダウンリンクデータの終了を受信することと、
前記インアクティビティタイマを完了することと、
の条件の少なくとも１つに基づいてＳＣＣ受信回路を電源オフとする様に更に構成されている、請求項１４に記載の装置。
【請求項１６】
ＬＴＥワイヤレスネットワーク内でのキャリアアグリゲーション中のセカンダリコンポーネントキャリア（ＳＣＣ）の将来のスケジューリングを受信するための１つ以上のソフトウェアモジュールを有するコンピュータ可読記憶媒体であって、
前記１つ以上のソフトウェアモジュールは１つ以上のプロセッサによって実行可能であり、前記１つ以上のソフトウェアモジュールは、
ＳＣＣデータ受信に対する将来のサブフレームを示す、ＳＣＣの将来のスケジューリング表示を含む、第１のサブフレームを受信するためのコードと、
前記第１のサブフレームを受信することに応答してＳＣＣ受信回路の電源をオフとするためのコードと、
前記ＳＣＣの将来のスケジューリング表示の少なくとも一部に基づいて、前記将来のサブフレームにて、前記ＳＣＣ受信回路を電源オンにするためのコードと、
を含む、コンピュータ可読記憶媒体。
【請求項１７】
前記ＳＣＣの将来のスケジューリング表示を受信するための前記コードが、プライマリコンポーネントキャリア（ＰＣＣ）上で受信するためのコードを含む、請求項１６に記載のコンピュータ可読記憶媒体。
【請求項１８】
前記ＳＣＣの将来のスケジューリング表示を受信するための前記コードは、前記第１のサブフレームの物理データコントロールチャネル（ＰＤＣＣＨ）情報を受信するためのコードを含み、前記第１のサブフレームのＰＤＣＣＨ情報は、前記ＳＣＣデータ受信に対するＰＤＣＣＨ  ＳＣＣ許可割り当てメッセージを含む、請求項１７に記載のコンピュータ可読記憶媒体。
【請求項１９】
前記ＰＤＣＣＨ  ＳＣＣ許可割り当てメッセージが、前記将来のサブフレームを計算するために、現在のサブフレームに加えられるサブフレーム数を含む、請求項１８に記載のコンピュータ可読記憶媒体。
【請求項２０】
前記ＳＣＣの将来のスケジューリング表示を受信することが、前記ＳＣＣ上で受信するためのウェイクアップサブフレームを含む、メディアアクセス制御（ＭＡＣ）コントロールエレメント（ＣＥ）を受信することを含み、
前記ウェイクアップサブフレームは、前記将来のサブフレームを示す、請求項１８に記載のコンピュータ可読記憶媒体。
【発明の詳細な説明】
【技術分野】
【０００１】
本出願は、表題が「Ｓｅｃｏｎｄａｒｙ  Ｃｏｍｐｏｎｅｎｔ  Ｃａｒｒｉｅｒ  Ｆｕｔｕｒｅ  Ｓｃｈｅｄｕｌｉｎｇ  ｉｎ  ＬＴＥ  Ｃａｒｒｉｅｒ  Ａｇｇｒｅｇａｔｉｏｎ」であり、２０１３年３月１５日に提出された米国仮特許出願第６１／７９９、９６７号、及び表題が「Ｓｅｃｏｎｄａｒｙ  Ｃｏｍｐｏｎｅｎｔ  Ｃａｒｒｉｅｒ  Ｆｕｔｕｒｅ  Ｓｃｈｅｄｕｌｉｎｇ  ｉｎ  ＬＴＥ  Ｃａｒｒｉｅｒ  Ａｇｇｒｅｇａｔｉｏｎ」であり、２０１４年３月１４日に提出された米国特許出願第１４／２１４，５１６号からの優先権の利益を主張し、これらの双方は、本出願又は現地法と相反しない範囲において、すべての目的に対して参照することで本明細書に完全に組み込まれている。
【０００２】
本開示はワイヤレス通信に関し、より詳細には、ＬＴＥワイヤレス通信におけるキャリアアグリゲーション中の（単一又は複数の）セカンダリコンポーネントキャリアの将来のスケジューリングに関する。
【背景技術】
【０００３】
ワイヤレス通信システムは、音声、映像、パケットデータ、回路交換情報、ブロードキャスト、メッセージングサービス、などといった様々な通信サービスを提供するために広く展開されている。代表的なワイヤレス通信システム、又はネットワークは、１つ以上の共有リソース（例、帯域幅、送信電力、等）へのアクセスを複数のユーザに提供できる。これらのシステムは、利用可能なシステムリソースを共有することで、複数の端末に対する通信をサポート可能な多元接続システムとすることができる。そのような多元接続システムの例として、符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムが含まれる。
【０００４】
一般に、ワイヤレス多元接続通信システムは、複数のワイヤレスデバイス又は端末に対する通信を同時にサポートできる。そのようなシステムでは、それぞれの端末は、フォワードリンク及びリバースリンク上での送信を介して１つ以上の基地局と通信できる。フォワードリンク（又はダウンリンク）は、基地局から端末への通信リンクを指し、リバースリンク（又はアップリンク）は、端末から基地局への通信リンクを指す。この通信リンクは、シングルインシングルアウト（ＳＩＳＯ）システム、シングルインマルチプルアウト（ＳＩＭＯ）システム、マルチプルインシングルアウト（ＭＩＳＯ）システム、又はマルチプルインマルチプルアウト（ＭＩＭＯ）システムを介して創設できる。
【０００５】
例えば、ＭＩＭＯシステムは、データ送信用の複数の（ＮＴ個の）送信アンテナ及び複数の（ＮＲ個の）受信アンテナを用いることができる。ＮＴ個の送信アンテナ及びＮＲ個の受信アンテナにより形成されるＭＩＭＯチャネルは、空間チャネルとも呼ばれる、ＮＳ≦最小｛ＮＴ、ＮＲ｝である、独立したＮＳ個のチャネルに分解することができる。ＮＳ個の独立したチャネルのそれぞれは、次元に対応することができる。ＭＩＭＯシステムは、複数の送信アンテナ及び受信アンテナによって作られた追加的次元性が使用されている場合に、高い性能（例、高スループット及び／又は高信頼性）を提供できる。
【０００６】
ＭＩＭＯシステムは、時分割二重通信（ＴＤＤ）システム及び周波数分割二重通信（ＦＤＤ）システムをサポートできる。ＦＤＤシステムでは、送信チャネル及び受信チャネルはガードバンド（バッファ又は隔離体として作用するいくらかの量のスペクトル）にて分離されており、実際において、２つの別の無線リンクを開くことで、双方向データ送信を可能とする。ＴＤＤシステムでは、送信及び受信には１つのチャネルのみが使用されており、異なるタイムスロットによりこれらを分けている。ガードバンドは使用されていない。これは、バッファバンドを排除することでスペクトル効率を高めることができ、また、非同期の応用において柔軟性を高めることができる。例えば、アップリンクでのトラフィックトラベルが少ない場合は、その方向へのタイムスライスを減らし、ダウンリンクトラフィックに分配することができる。
【０００７】
ワイヤレス通信システムはしばしば、カバレッジ領域を提供する１つ以上の基地局を採用する。代表的な基地局は、ブロードキャストサービス、マルチキャストサービス及び／又はユニキャストサービスに対して複数のデータストリームを送信でき、ここでデータストリームは、モバイルデバイスに重要な独立した受信とすることができる、データのストリームとしてもよい。そのような基地局のカバレッジ領域内のモバイルデバイスは、複合ストリームによって運ばれる単一の、複数の、又はすべてのデータストリームを受信するよう用いられることができる。同様に、モバイルデバイスは、基地局又は別のモバイルデバイスにデータを送信できる。
【図面の簡単な説明】
【０００８】
【図１】特定の実施形態に係る、例示的なワイヤレス多元接続通信システムの図。
【図２】特定の実施形態に係る、例示的なモバイルデバイス又はユーザ機器（ＵＥ）のブロック図。
【図３】特定の実施形態に係る、例示的な拡張ノードＢ（ｅＮＢ）又は同様のモバイル通信ノード（例、基地局、アクセスポイント、等）のブロック図。
【図４】特定の実施形態に係る、ＬＴＥ  ＦＤＤにおける例示的なキャリアアグリゲーションを示す図。
【図５】特定の実施形態に係る、例示的なキャリアアグリゲーションの代替を示す図。
【図６】特定の実施形態に係る、例示的なプライマリサービングセル及びセカンダリサービングセルを示す図。
【図７】特定の実施形態に係る、ＬＴＥ  ＦＤＤ  ＣＡのスケジューリングを示す図。
【図８】特定の実施形態に係る、クロスキャリアスケジューリングを用いる例示的な送受信機アーキテクチャを示す図。
【図９】特定の実施形態に係る、（単一又は複数の）セカンダリコンポーネントキャリアの将来のスケジューリングを示す例示的なタイムラインを示す図。
【図１０】特定の実施形態に係る、（単一又は複数の）セカンダリコンポーネントキャリアの将来のスケジューリングに対する例示的なフローダイアグラムを示す図。
【図１１】特定の実施形態に係る、（単一又は複数の）セカンダリコンポーネントキャリアの将来のスケジューリングを示す例示的なタイムラインを示す図。
【図１２】特定の実施形態に係る、（単一又は複数の）セカンダリコンポーネントキャリアの将来のスケジューリングに対する例示的なフローダイアグラムを示す図。
【発明を実施するための形態】
【０００９】
以下の「発明を実施するための形態」は、特定のサンプルである複数の実施形態を対象としている。しかし、本開示は、「特許請求の範囲」により規定され、含まれているように、多くの異なる方法にて具体化することができる。本説明では図面が参照され、本出願内では、同様の各部は同様の番号を用いて指定されている。
【００１０】
本明細書に説明する様々な技術は、符号分割多元接続（「ＣＤＭＡ」）システム、マルチプルキャリアＣＤＭＡ（「ＭＣＣＤＭＡ」）、ワイドバンドＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システム、又は他の多元接続技術といった様々のワイヤレス通信システムに使用できる。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、及び他の規格といった、１つ以上の規格を実装するよう設計されてもよい。ＣＤＭＡネットワークは、ユニバーサル地上無線アクセス（「ＵＴＲＡ」）、ｃｄｍａ２０００、又は他のいくつかの技術といった無線技術を実装してもよい。ＵＴＲＡは、Ｗ−ＣＤＭＡ及び低チップレート（「ＬＣＲ」）を含む。ｃｄｍａ２０００技術は、ＩＳ−２０００、ＩＳ−９５、及びＩＳ−８５６規格を含む。ＴＤＭＡネットワークは、移動通信用のグローバルシステム（「ＧＳＭ（登録商標）」）といった無線技術を実装してもよい。ＯＦＤＭＡネットワークは、進化型ＵＴＲＡ（「Ｅ−ＵＴＲＡ」）、ＩＥＥＥ  ８０２．１１（「ＷｉＦｉ（登録商標）」）、ＩＥＥＥ  ８０２．１６（「ＷｉＭＡＸ（登録商標）」）、ＩＥＥＥ  ８０２．２０（「ＭＢＷＡ」）、Ｆｌａｓｈ−ＯＦＤＭ．ＲＴＭ．、等といった無線技術を実装してもよい。ＵＴＲＡ、Ｅ−ＵＴＲＡ、及びＧＳＭは、ユニバーサル移動体通信システム（「ＵＭＴＳ」）の一部である。本明細書の教示は、３ＧＰＰロングタームエボリューション（「ＬＴＥ」）システム、ウルトラモバイルブロードバンド（「ＵＭＢ」）システム、及び他の種類のシステムにて実装されてもよい。ＬＴＥは、Ｅ−ＵＴＲＡを用いるＵＭＴＳのリリースである。本開示の特定の態様は、３ＧＰＰ用語を用いて説明され得るが、本明細書の教示は、３ＧＰＰ（Ｒｅ１９９、Ｒｅ１５、Ｒｅ１６、Ｒｅ１７）技術、同様に３ＧＰＰ２（ＩｘＲＴＴ、１ｘＥＶ−ＤＯ  ＲｅｌＯ、ＲｅｖＡ、ＲｅｖＢ）技術及びＷｉＦｉ、ＷｉＭＡＸ、ＷＭＢＡ等といった他の技術に応用され得ることが理解される。
【００１１】
本開示は、アクセスポイント、モバイルデバイス、基地局、ユーザ機器、ノードＢ、アクセス端末、及びｅＮＢといった、様々なワイヤレス通信デバイスに言及する。これら及び他の名称の使用は、１つの特定のデバイス、１つの特定の規格若しくはプロトコル、又は１つの特定のシグナリング方向を示す又は強制することを意図しておらず、本出願の目的を何ら制限しないことを明示的に意図する。これら及び他の名称の使用は、厳密に利便性のためであり、そのような名称は、いずれの範囲又は権利を失うことなく、本出願内において置き換えられてもよい。
【００１２】
ここで各図を参照すると、図１は、特定の実施形態に係る、例示的なワイヤレス多元接続通信システム１００を示す。１つの例では、単一の拡張ノードＢ（ｅＮＢ）基地局１０２は、複数のアンテナグループを含む。図１に示すように、１つのアンテナグループはアンテナ１０４及び１０６を含むことができ、別のグループはアンテナ１０８及び１１０を含むことができ、及び、別のグループはアンテナ１１２及び１１４を含むことができる。それぞれのアンテナグループに対し、図１では２つのアンテナのみが示されている一方で、それぞれのアンテナグループに対してそれより多い又はそれより少ないアンテナを使用できることが認識されるべきであろう。示すように、ユーザ機器（ＵＥ）１１６は、アンテナ１１２及び１１４と通信でき、ここでアンテナ１１２及び１１４は、ダウンリンク（又はフォワードリンク）１２０を介してＵＥ  １１６に情報を送信し、アップリンク（又はリバースリンク）１１８を介してＵＥ  １１６から情報を受信する。加えて及び／又は代わりに、ＵＥ  １２２は、アンテナ１０４及び１０６と通信でき、ここでアンテナ１０４及び１０６は、ダウンリンク１２６を介してＵＥ  １２２に情報を送信し、アップリンク１２４を介してＵＥ  １２２から情報を受信する。周波数分割二重通信（ＦＤＤ）システムでは、通信リンク１１８、１２０、１２４、及び１２６は、異なる周波数を通信に使用できる。時分割二重通信（ＴＤＤ）システムでは、通信リンクは同じ周波数を通信に使用できるが、時間が異なる。
【００１３】
アンテナのそれぞれのグループ及び／又は通信するよう設計されたエリアは、ｅＮＢ又は基地局の１つのセクタと呼ぶことができる。１つの態様によると、アンテナグループは、ｅＮＢ  １０２により含まれるエリアの１つのセクタ内にある複数のモバイルデバイスと通信するよう設計され得る。ダウンリンク１２０及び１２６を介しての通信では、ｅＮＢ  １０２の送信アンテナは、異なるＵＥ  １１６及び１２２に対するダウンリンクの信号対雑音比を改善する目的で、ビームフォーミングを利用できる。また、そのカバレッジ内にランダムに散らばるＵＥに送信するためにビームフォーミングを使用する基地局は、単一のアンテナを通してそのすべてのＵＥに送信する基地局よりも、隣接セル内のモバイルデバイスに引き起こす干渉が少ない。ビームフォーミングに加えて、これらのアンテナグループは、他のマルチアンテナ又は空間多重方式、空間ダイバーシティ、パターンダイバーシティ、偏波ダイバーシティ、送信／受信ダイバーシティ、アダプティブアレイ、等といった、アンテナダイバーシティ技術を使用できる。
【００１４】
図２は、特定の実施形態に係る、例示的なモバイルデバイス又はユーザ機器（ＵＥ）２１０のブロック図２００を示す。図２に示すように、ＵＥ  ２１０は、送受信機２１０、アンテナ２２０、プロセッサ２３０、及びメモリ２４０を含んでよい（特定の実施形態では、加入者識別モジュール（ＳＩＭ）カード内のメモリを含んでよい）。特定の実施形態では、移動無線通信装置により実行されるような、本明細書に説明する機能の一部又はすべては、図２に示すように、メモリ２４０といった、コンピュータ可読媒体上に保存された命令を実行するプロセッサ２３０によって提供されてもよい。加えて、ＵＥ  ２１０は、本明細書に更に開示するように、送受信機２１０及びアンテナ２２０を介して、アップリンク及び／又はダウンリンク通信機能を実行してもよい。ＵＥ  ２１０に対しては１つのアンテナのみが示されている一方で、特定の実施形態は、マルチアンテナモバイルデバイスにも等しく適用可能である。特定の実施形態では、ＵＥ  ２１０は、本明細書に説明するいずれの機能を含む、ネットワーク内にある基地局との通信、及び、送信するための情報、又は受信からの情報を処理するための機能といった、ＵＥ  ２１０の機能を有効にすること又は実行することを担うことができる、図２に示す構成部品に加え、更なる複数の構成部品を含んでよい。そのような更なる構成部品は図２には示されていないが、本出願の目的範囲内となることが意図されている。
【００１５】
図３は、特定の実施形態に係る、例示的な拡張ノードＢ（ｅＮＢ）３１０又は同様のモバイル通信ノード（例、基地局、アクセスポイント、等）のブロック図３００を示す。図３に示すように、ｅＮＢ  ３１０は、ｅＮＢアンテナ３２０に接続された無線周波数（ＲＦ）送信機３４０及びＲＦ受信機３５０ユニットを介しての、モバイルハンドセットとの無線通信を提供するよう、ベースバンドプロセッサ３３０を含んでよい。１つのアンテナのみが示されている一方で、特定の実施形態は、マルチアンテナ構成に適用可能である。ＲＦ送信機３４０及びＲＦ受信機３５０は、１つの送受信機ユニットに組み合わせてもよく、複数のアンテナ接続を容易にするために複製されてもよい。ベースバンドプロセッサ３３０は、３ＧＰＰ  ＬＴＥといったワイヤレス通信規格に従って機能するよう、（ハードウェア及び／又はソフトウェアにて）構成されてもよい。ベースバンドプロセッサ３３０は、ｅＮＢに対する関連情報を処理して保存するためのメモリ３３４と通信するための処理ユニット３３２、及び、ｅＮＢ  ３１０によりサービスされるモバイルデバイスに対してスケジューリングの決定を提供できるスケジューラ３３６を含んでよい。スケジューラ３３６は、代表的なスケジューラとして、同じデータ構造の一部又はすべてを、ＬＴＥシステムにおけるｅＮＢ内に有してもよい。
【００１６】
ベースバンドプロセッサ３３０はまた、必要に応じて、更なるベースバンド信号処理（例えば、モバイルデバイスの登録、チャネル信号情報の送信、無線リソースの管理、等）を提供してもよい。処理ユニット３３２は、例として、汎用プロセッサ、専用プロセッサ、従来型プロセッサ、デジタル信号プロセッサ（ＤＳＰ）、複数のマイクロプロセッサ、ＤＳＰコアに関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、いずれの他の種類の集積回路（ＩＣ）、及び／又はステートマシンを含んでよい。モバイル基地局、基地局コントローラ、ノードＢ、拡張ノードＢ、アクセスポイント、ホーム基地局、フェムトセル基地局、及び／又はいずれの他の種類のモバイル通信ノードによって提供されるような、本明細書に説明する機能の一部又はすべては、図３に示すメモリ３３４といった、コンピュータ可読データ記憶媒体上に保存される命令を実行する処理ユニット３３２によって提供されてもよい。
【００１７】
特定の実施形態では、ｅＮＢ  ３１０は、図３に示されるものといった、タイミング及びコントロールユニット３６０、及びコアネットワークインターフェースユニット３７０、を更に含んでもよい。タイミング及びコントロールユニット３６０は、ベースバンドプロセッサ３３０及びネットワークインターフェースユニット３７０の作動を監視してもよく、適切なタイミング及びコントロール信号をそれらのユニットに提供してもよい。ネットワークインターフェースユニット３７０は、ｅＮＢ  ３１０を通してネットワーク内で運用するモバイル受信者に対し、管理及びコールマネジメント機能を促進するよう、コア又はバックエンドネットワーク（非表示）と通信するｅＮＢ  ３１０に対する双方向性インターフェースを提供してもよい。
【００１８】
基地局３１０の特定の実施形態は、本明細書にて同定されるいずれの機能、及び／又は本明細書に説明するソリューションをサポートするために必要ないずれの機能を含む、更なる機能を提供することを担う更なる構成部品を含んでよい。特性及び要素が特定の組み合わせにて説明されているが、それぞれの特性及び要素は、他の特性及び要素を伴うことなく単独で使用でき、１つ以上の特性及び要素を伴って、又は伴うことなく、様々な組み合わせにても使用できる。本明細書に提供される方法は、汎用コンピュータ又はプロセッサ（例、図３内の処理ユニット３３２）によって実行されるよう、コンピュータ可読記憶媒体（例、図３内のメモリ３３４）内に組み込まれたコンピュータプログラム、ソフトウェア、又はファームウェアにて実行されてもよい。コンピュータ可読記憶媒体の例には、読み出し専用メモリ（ＲＯＭ）、ランダムアクセスメモリ（ＲＡＭ）、デジタルレジスタ、キャッシュメモリ、半導体メモリデバイス、内蔵ハードディスク、磁気テープ及びリムーバブルディスクといった磁気媒体、光磁気記憶媒体、及びＣＤＲＯＭディスク、デジタルバーサタイルディスク（ＤＶＤ）、などといった光学式記憶媒体が含まれる。
【００１９】
現在は、様々な形態のＬＴＥが世界中で展開されている。ＬＴＥの最も初期的な展開は、ＬＴＥ規格のリリース８（Ｒ８）に基づいており、これは当初、２００８年後半には凍結されていた。ＬＴＥ規格に対する更なる拡張、改修、及び追加が、継続して提案及び実施されている。例えば、リリース９（Ｒ９）のＬＴＥ規格は当初、２００９年後半には凍結されており、リリース１０（Ｒ１０）又はＬＴＥアドバンスト規格は当初、２０１１年初期には凍結されていた。Ｒ８／Ｒ９からＬＴＥアドバンスト又はＲ１０への１つの駆動力は、コスト効率の良い高速ビットレートを提供し、同時に、国際電気通信連合（ＩＴＵ）によって規定されるような「４Ｇ」要件を満たすことであった。しかし、これらの改善策は、Ｒ８及びＲ９との後方互換性を維持することを条件としていた。
【００２０】
ＬＴＥアドバンストでは、毎秒３ギガビット（Ｇｂｐｓ）のダウンリンク（ＤＬ）に対するピークデータレートの増加、１．５Ｇｂｐｓのアップリンク（ＵＬ）に対するピークデータレートの増加、高スペクトル効率（例、Ｒ８における最大で毎秒１６ビット（ｂｐｓ）／Ｈｚから、Ｒ１０における３０ｂｐｓ／Ｈｚまで）、同時にアクティブな受信者数の増加、及びセルエッジでの改善された性能（例、ＤＬ  ２×２  ＭＩＭＯに対して、少なくとも２．４０ｂｐｓ／Ｈｚ／セル）といった、高容量に対する提供を補助する、少なくともいくつかの特性がある。これら改善策の少なくともいくつかの促進を補助するための、Ｒ１０に導入された少なくともいくつかの新機能は次のとおり。キャリアアグリゲーション（ＣＡ）、マルチアンテナ技術の拡張使用、及び中継ノード（ＲＮ）に対するサポート。
【００２１】
ＬＴＥ  Ｒ１０キャリアアグリゲーション（ＣＡ）では、送信帯域幅及び／又は受信帯域幅は、ｅＮＢ（基地局、アクセスポイント、等）と、１つ以上のＵＥ（ワイヤレスデバイス、モバイルデバイス、ハンドセット、等）との間の、複数のコンポーネントキャリア（ＣＣ）の集約を通して拡張できる。それぞれのＣＣは、Ｒ８キャリア構造と後方互換性がある。キャリアアグリゲーションは、同じ周波数帯域（イントラバンドＣＡ）内の非隣接スペクトル及び異なる周波数帯域（インターバンドＣＡ）内の非隣接スペクトルを含む、隣接スペクトル及び非隣接スペクトルの双方をサポートする。Ｒ１０におけるキャリアアグリゲーションは、プライマリＣＣ及びセカンダリＣＣ（各ＰＣＣ及びＳＣＣ）からなる。しかし、将来のＬＴＥ規格は、同様に本開示の教示に応用可能となる、複数のＳＣＣを促進してもよい。ＰＣＣは一般に、ＣＡ制御情報を含み、故に、ＵＥはその制御情報に対するそれぞれのＰＣＣを聴取（listen）することができる。
【００２２】
先に説明したように、キャリアアグリゲーションは、帯域幅を増やすため、及びそれによりビットレートを増やすためにＬＴＥアドバンストにて使用できる。Ｒ１０はＲ８／Ｒ９モバイルデバイスとの後方互換性を維持するよう試行しているため、このアグリゲーションはＲ８／Ｒ９キャリアのものである。キャリアアグリゲーションは、周波数分割二重通信（ＦＤＤ）及び時分割二重通信（ＴＤＤ）作動モードの双方に対して使用できる。
【００２３】
図４は、特定の実施形態に係る、ＬＴＥ  ＦＤＤにおける例示的なキャリアアグリゲーション４００を示す。図４に示すように、Ｒ１０  ＵＥは、集約されたリソース上の割り当てられたＤＬリソース及びＵＬリソースとすることができ、Ｒ８／Ｒ９  ＵＥは、コンポーネントキャリア４１０（ＣＣ）のいずれか１つの上の割り当てられたリソースとすることができる。ＣＣ  ４１０は、同じ又は異なる帯域幅とすることができ、割り当てＤＬ及びＵＬは、同じもの又は異なるものとすることができる。それぞれの集約されたキャリアは、コンポーネントキャリア（ＣＣ）４１０と呼ばれる。Ｒ１０では、コンポーネントキャリア４１０は、１．４、３、５、１０、１５、又は２０ＭＨｚの帯域幅を有することができ、最大で５つのコンポーネントキャリア４２０を集約することができる。したがって、最大集約帯域幅は、１００ＭＨｚ（つまり、最大で５つの２０ＭＨｚのＣＣ）である。ＬＴＥ  ＦＤＤでは、集約されたキャリア数は、（図４に示すように）ＤＬ  ４５０及びＵＬ  ４６０にて異なることができる。しかし、ＵＬ  ４６０のコンポーネントキャリア数は、ＤＬのコンポーネントキャリア数と常に等しいか、又は小さい。個別のコンポーネントキャリアもまた、異なる帯域幅とすることができる。ＬＴＥ  ＴＤＤを使用している場合、ＣＣ数及びそれぞれのＣＣの帯域幅は、ＤＬ  ４３０及びＵＬ  ４４０に対して同じである。
【００２４】
図５は、特定の実施形態に係る、例示的なキャリアアグリゲーションの代替５００を示す。図５に示すように、次の３つの代替が可能である。イントラバンド隣接ＣＡ（又は単に、隣接ＣＡ）５１０、イントラバンド非隣接ＣＡ  ５３０、又はインターバンド非隣接ＣＡ（又は単に、インターバンドＣＡ）５５０。これら３つの代替間でアグリゲーションをアレンジする最も簡単な方法は、（ＬＴＥに対して規定されている）同じ、１つの運用している周波数帯域５２０内、又は、イントラバンド隣接ＣＡ  ５１０と呼ばれるものにて、隣接コンポーネントキャリアを使用するものとできる。しかし、これは常に可能ではなく、周波数割り当てシナリオによって異なる。したがって、非隣接割り当てについては、イントラバンド５３０及びインターバンド５５０の２つの可能性がある。イントラバンドについては、コンポーネントキャリアは、同じ運用周波数帯域５４０に属するが、それらの間に１つ以上のギャップ５４５を有する。一般に、ＣＡでは、２つのＣＣとの間の間隔は、Ｎ＊３００ｋＨｚとすることができ、ここでＮはある整数である。インターバンドについては、コンポーネントキャリアは、１つ以上の異なる運用周波数帯域５６０、５７０に属する。加えて、非隣接の代替については、ＣＣは、１つ以上の周波数ギャップにて分離することができる。
【００２５】
実用的理由で、ＣＡは初期的に、いくつかの運用帯域に対してＬＴＥ規格にて規定されている。Ｒ１０では、３つのＣＡ帯域が規定されている。しかし、ＣＡ運用帯域の将来の拡張が、本開示、及び本出願の「特許請求の範囲」に適用可能となることが意図されている。イントラバンド隣接ＣＡについては、Ｒ８の運用帯域１（ＦＤＤ）が、ＣＡ帯域ＣＡ＿１として規定されており、帯域４０（ＴＤＤ）が、ＣＡ＿４０として規定されている。インターバンド非隣接ＣＡについては、Ｒ８の運用帯域１及び５（ＦＤＤ）が、ＣＡ＿１〜５と呼ばれる１つのＣＡ帯域として規定されている。
【００２６】
キャリアアグリゲーションの使用時には、コンポーネントキャリアのそれぞれに対して１つ、いくつかのサービングセルが存在する。サービングセルのカバレッジは、コンポーネントキャリア周波数と電力プランニングからの両方によって変わり得て、そのことは異種ネットワークプランニングに有用となり得る。無線リソース制御（ＲＲＣ）接続が、プライマリサービングセルという１セルによってハンドリングされ、プライマリコンポーネントキャリア（ＤＬ及びＵＬ  ＰＣＣ）によってサービスを提供される。ＵＥが、セキュリティパラメータといった、非アクセス層（ＮＡＳ）情報を受信できるのも、ＤＬ  ＰＣＣ上である。アイドルモードでは、ＵＥは、ＤＬ  ＰＣＣ上でシステム情報を聴取する。ＵＬ  ＰＣＣ上では、ＰＵＣＣＨ（物理的アップリンク制御チャネル）が送られる。他方のコンポーネントキャリアは、セカンダリコンポーネントキャリア（ＤＬ及びＵＬ  ＳＣＣ）とすべて称され、セカンダリサービングセルにサービスを提供する。
【００２７】
図６は、特定の実施形態に係る、例示的なプライマリサービングセル及びセカンダリサービングセル６００を示す。図６に示すように、３つの異なるカバレッジセルが、対応するコンポーネントキャリアをそれぞれ有することができる。例えば、アウターセル６３０は、プライマリサービングセルとすることができ、ＲＲＣ接続及びデータを含み得るプライマリコンポーネントキャリアを有することができる。ミドルセル６４０は、セカンダリサービングセルとすることができ、セカンダリコンポーネントキャリアを有することができる。インナーセル６５０は、セカンダリサービングセルとすることができ、セカンダリコンポーネントキャリアを有することができる（これらの双方は、ミドルセル６４０のＳＳＣ及びＳＣＣとは異なるものとできる）。これらの異なるサービングセルは、異なるカバレッジ領域を有しても有しなくても良く（示すとおり、これらはすべて異なる）、これは異種セルプランニングに有用となり得る。ＳＣＣは、必要に応じて、ＵＥによって追加及び削除できるが（例、更なる帯域幅が必要となり得る場合及び／又はネットワークプランニングの許可に応じて）、一方で、ＰＣＣは、ハンドオーバ時にのみ変更される。異なるコンポーネントキャリアは、異なるカバレッジ、つまり異なるセルサイズを提供するよう計画され得る。インターバンドキャリアアグリゲーションの場合、このコンポーネントキャリアは、異なる経路の喪失及び／又は干渉が起こり得、これは周波数の増加に伴って増える場合がある。図６に示すように、３つのコンポーネントキャリアすべての上でのキャリアアグリゲーションは、ＵＥ  ６２０（ｅＮＢ  ６１０に最も近いもの）に対してのみ使用することができ、一方で、ＵＥ  ６２５（ｅＮＢ  ６１０から最も遠いもの）は、インナーセル６５０のカバレッジ領域内にはない。ＣＣの同じセット又はサブセットを使用するＵＥは、異なるＰＣＣを有することに注意されたい。
【００２８】
Ｒ１０のキャリアアグリゲーションの導入は主に、メディアアクセス制御（ＭＡＣ）及び物理層プロトコルに影響するが、いくつかの新規ＲＲＣメッセージを含む。Ｒ８及びＲ９の後方互換性を維持するため、それぞれのコンポーネントキャリアは、（一般的な意味で）Ｒ８キャリアとして扱われる。しかし、ＳＣＣを取り扱う（つまり、ＳＣＣの追加、削除、及び再構成）目的で、新規ＲＲＣメッセージといった、いくつかの新規情報が必要であり、ＭＡＣは、ＣＣ毎及び／又は複数のＣＣに基づいて、多数のＣＣ及びＨＡＲＱ上でのスケジューリングを取り扱うことができるべきである。物理層、例えば、物理ダウンリンク制御チャネル（ＰＤＣＣＨ）、ＡＣＫ／ＮＡＣＫ、及びＣＳＩ上の変更は、ＣＣ毎及び／又は複数のＣＣに基づいて、取り扱われる必要がある。また、このフィジカルは、ＣＣ上のスケジューリングに関する信号情報を含み得る。
【００２９】
スケジューリングに関し、２つの主な代替がＲ１０  ＣＡに対してあり、いずれかのリソースは、許可を受信すると、又は、クロスキャリアスケジューリングと呼ばれるものが使用され得ると、同じキャリア上にスケジュールされる。これらの双方は、前方ＣＡスケジューリング技術である。図７は、特定の実施形態に係る、ＬＴＥ  ＦＤＤ  ＣＡのスケジューリングを示す。図７に示すように、クロスキャリアスケジューリング７００を使用して、物理ダウンリンク制御チャネル（ＰＤＣＣＨ）を伴うことなく、（単一又は複数の）ＳＣＣ上に各リソースがスケジュールされている。クロスキャリアスケジューリングでは、ＰＤＣＣＨ（スケジューリング情報）を、ＰＣＣ上に送信することができる。このスケジューリング情報は、ＰＣＣ及びＳＣＣの双方に対するものとなる。ＰＤＳＣＨ（ユーザデータ）は、必要に応じて、ＰＣＣ及びＳＣＣ上とすることができる。例えば、ＰＣＣ  ７１０及び１つのＳＣＣ  ７２０を伴う状況を考慮する。ＰＣＣ  ７１０は、ＰＤＣＣＨ  ７３０（例、白はＰＣＣのもの）を含むことができる。ＰＤＣＣＨ  ７３０上のこのキャリアインジケータフィールド（ＣＩＦ）は、（単一又は複数の）スケジュールされたリソースが配置されているキャリア上に示すことができる。示すように、ＰＤＣＣＨ  ７３０は、各スケジューリングリソースに対して３つのキャリアを示し、その内の１つはＳＣＣ  ７２０内に、（つまり、スケジューリング許可及びリソースが同じキャリア上にないように）ある。
【００３０】
図８は、特定の実施形態に係る、クロスキャリアスケジューリングを用いる例示的な送受信機アーキテクチャ８００を示す。図８に示すように、それぞれのコンポーネントキャリア（ＣＣ）８１０、８２０、８３０は、別々のＲＦ受信チェーン８４０、８５０、８６０を有し、アンテナ８７０を共有し得る。代わりに、それぞれのＣＣ受信チェーンの特定の構成部品は、他のＣＣ受信チェーンと組み合わされてもよく、及び／又は共有されてもよい。同様に、１つ以上のＣＣ受信チェーンは、残りのＣＣ受信チェーンから分離したアンテナを有してもよい。図８では、プライマリコンポーネントキャリア（ＰＣＣ）及びそれぞれのセカンダリコンポーネントキャリア（ＳＣＣ）は、別々のＲＦ受信チェーン８４０、８５０、８６０を有する。それぞれのＳＣＣ受信チェーン（及び、代わりに、ＰＣＣ受信チェーン）は、残りのＰＣＣ／ＳＣＣ受信チェーンのそれぞれから、８５５、８６５を選択的に有効又は無効（つまり、電源の入又は切）にされる機能を有することができる。それぞれのＳＣＣ  ＲＦ受信チェーン８４０、８５０、８６０は、ＲＦバンドパスフィルタ（ＣＣ毎）、ＲＦフロントエンド、及びアナログデジタルコンバータ（非表示）の構成部品／機能を含んでよい。図８に示す受信チェーンは、例えば、図２に示すような送受信機２１０として実装されてもよい。図１０に示すアンテナは、図２に示すようなアンテナ２２０として実装されてもよい。図１０のデジタル信号プロセッサ（ＤＳＰ）は、図２に示すようなＵＥプロセッサ２３０の少なくとも一部として実装されてもよい。
【００３１】
特定の実施形態では、このＵＥは、セカンダリコンポーネントキャリア（ＳＣＣ）上にデータが割り当てられ得ていなくとも、複数の受信コンポーネントキャリアとされてもよい。これは、ＳＣＣ上のＵＥに対してデータがスケジュールされていなくとも、ＵＥの受信回路の電源が入ってＳＣＣを受信するため、電力を浪費し得る。Ｒ１０では現在、このネットワーク（ＮＷ）は、例えば、ｅＮＢを介して、ＭＡＣメッセージングを通して、ＣＡを有効／無効にし得る。しかし、このＭＡＣメッセージングタイムフレームは過剰に遅くともよく、ダイナミックスケジューリングに密接に追従しなくともよい（つまり、データを伴わないＳＣＣを受信する前に無効にしなくともよい）。その上、この種のＣＡ  ＭＡＣメッセージングは、データ転送の黙示の表示のみであり、つまり、有効／無効使用の実装バリエーションは、トラフィックパターンを密接に追従しなくともよく、効率的に無効を使用することを不可能とし得、それ故に、潜在的なＵＥ  ＣＡの節電を損なう。
【００３２】
したがって、特定の実施形態は、例えば、ＰＤＣＣＨにて、及び／又は、将来のＳＣＣサブフレーム、又は複数のＳＣＣ上のサブフレームに対して、データがスケジュールされているか否かをＵＥに知らせることができるＭＡＣコントロールエレメント（ＣＥ）として、新規のＬＴＥメッセージを導入し得る。これは、単一の特定のサブフレーム又は複数のサブフレーム内のＳＣＣ（又は、１つ以上のＳＣＣ）上にデータが到着するか否かを、ＵＥが予期又は知り、データがないことが予想される場合に、そのＳＣＣ（又は、それらのＳＣＣ）に対して、ＳＣＣ受信回路を停止させるよう選択可能にし得る。
【００３３】
図９は、特定の実施形態に係る、（単一又は複数の）セカンダリコンポーネントキャリアの将来のスケジューリングに対する例示的なフローダイアグラム９００を示す。図９に示すように（図１０〜図１２のタイムラインに関連して）、フローダイアグラム９００は、ＳＣＣ受信回路オフにて開始する（９１０）。次に、受信機は、受信機（つまり、受信機が受信するためにＳＣＣ受信回路を起動する必要がある）に対するＳＣＣ情報を含む将来のサブフレームのインジケータを含むサブフレームを受信する（９２０）。ＳＣＣ受信回路は停止しているため、９２０での受信はＰＣＣ受信回路を使用できる。代わりに、ステップ９１０及び９２０が逆の順序で行われ得、受信機が将来のＳＣＣサブフレーム表示を最初に受信し、続いて、ＳＣＣ受信回路がしばらく不要となること（又は、サブフレーム数）を知り、ＳＣＣ受信回路を停止させる。
【００３４】
次に、９３０では、この受信機は、将来のＳＣＣサブフレームを受信している（又は、受信しようとしている）か否かを判定する。将来のＳＣＣサブフレームがない場合は、ＳＣＣ受信回路はオフのまま９４０となり、受信機は受信を継続できるが、ＳＣＣ受信回路を使用することはできない（つまり、ＰＣＣを使用する）。しかし、受信機が将来のＳＣＣサブフレームにある（又は、まさにあろうとする）場合、受信機はＳＣＣ受信回路を起動できる（９５０）。随意に、９５５では、受信機はまた、インアクティビティタイマを起動してもよい。受信機はこれで、いずれの／すべての（単一又は複数の）（存在しない可能性がある、つまり、「フォールスアラーム」の類の可能性がある）ＳＣＣサブフレームの受信準備が完了する、又は少なくとも受信しようとできる（９６０）。随意に、９８０では、受信機はまた、インアクティビティタイマ及び／又はインアクティビティタイマの開始に関するセットアップ情報／データを受信してもよい。インアクティビティタイマはまた、受信機の固有部分としてもよく、セットアップを不要としてもよい。インアクティビティタイマは、ＳＣＣサブフレームの「電源入」後の、ＳＣＣ受信機回路の電源入の期間表示（時間、サブフレーム数、等）に使用してもよい。当然のことながら、受信機は、例えば９２０での早期に、インアクティビティタイマに関するセットアップ情報／データを受信してもよい。いずれの／すべての（単一又は複数の）ＳＣＣサブフレームの受信後（及び／又は、随意に、インアクティビティタイマの終了後（９９０））、受信機は再度、ＳＣＣ受信回路の電源を切ることができる（９７０）。先に説明したように、ＳＣＣ受信回路を９７０にて電源をオフとする代わりに、受信機は、ＳＣＣサブフレームの受信時（９６０）に含まれてもよい、次の将来のＳＣＣサブフレームの次の表示の受信（９２０）後まで待機できる。
【００３５】
図１０は、特定の実施形態に係る、（単一又は複数の）セカンダリコンポーネントキャリアの将来のスケジューリングを示す例示的なタイムライン１０００を示す。図１０に示すように、サブフレーム０では、ＵＥは、ＳＣＣがデータに対してスケジュールされた場合に、将来の場所及び時間を示し得る、（単一又は複数の）ＰＤＣＣＨ  ＳＣＣ許可割り当て（つまり、ＰＣＣ上）を受信する。例えば、ＵＥは、「Ｘ」サブフレーム（つまり、この例では４ｍｓ）分進んでいるＳＣＣスケジュールを受信できる。ＳＣＣ受信チェーンは、このＰＤＣＣＨ  ＳＣＣ許可割り当てメッセージを受信する場合に、電源切とでき、受信後、ＵＥは、ＳＣＣデータ（つまり、この例ではサブフレーム４）を含む（単一又は複数の）サブフレームの受信を必要とするまで、（単一又は複数の）ＳＣＣ受信チェーンを電源切のままとできることを知る。必要に応じて、及び必要の場合に、ＵＥは、必要なＳＣＣ受信チェーンの電源を入れ、ＳＣＣデータを受信するまでそれらを電源入のままとすることができ、その後、新規ＰＤＣＣＨ  ＳＣＣ許可割り当てメッセージを、ＳＣＣデータを受信するための新規時間及び／又はサブフレーム及び／又は他のインジケータを伴って受信するまで、ＵＥは再度、ＳＣＣ受信チェーンを電源切にすることができる。
【００３６】
図１１は、特定の実施形態に係る、（単一又は複数の）セカンダリコンポーネントキャリアの将来のスケジューリングを示す例示的なタイムライン１１００を示す。特定の実施形態では、ＰＤＣＣＨは、ＳＣＣ上の将来のスケジューリングを示す更なる情報エレメントを含む。代わりに、図１１に示すように、ＰＤＣＣＨを（図１０に示すように）変更するのではなく、この情報エレメントは、ＰＤＳＣＨ内の新規ＭＡＣコントロールエレメント（ＣＥ）上に送信され得る。示すように、サブフレームゼロでは、ＳＣＣ受信チェーンは電源オフとなっているが、ＵＥは、ＳＣＣ上のスケジューリング（つまり、この例では、４ｍｓ後で）を受信するため、ウェイクアップ（つまり、又は電源オン）をスケジューリングするための制御情報を示すＭＡＣ  ＣＥを受信する。続いて、スケジュールされたウェイクアップサブフレームでは、ＵＥの（単一又は複数の）ＳＣＣ受信チェーンは、ＰＣＣ又はＳＣＣ上にＰＤＣＣＨを受信するため、更には、ＳＣＣ上の物理的データ共有チャネル（ＰＤＳＣＨ）を受信するため、電源オンとされ得る。
【００３７】
ＳＣＣ受信は、初期ウェイクアップサブフレーム後のＳＣＣ上のＰＤＣＣＨを、ＵＥが聴取し続けなければならない期間を指令する、インアクティビティタイマを含み得る。ＰＤＣＣＨの指示は、データがＳＣＣ上に到着する（つまり、期間の始まる）サブフレームを指定する。インアクティビティタイマは、ＲＲＣ構成及び／又はＭＡＣコントロールエレメント内に指定され得る。代わりに、最後のＳＣＣ  ＰＤＳＣＨは、このＳＣＣ上のＤＬトラフィックが終了した（又はするところである）ことを示す情報を含み得、ＵＥは、ＳＣＣ受信回路の電源を切ることができる。ＳＣＣデータの終了を受信すると、ＵＥは再度、（単一又は複数の）ＳＣＣ受信チェーンの電源を切ることができる。ＳＣＣデータの終了を受信していない場合、ＵＥは、インアクティビティタイマを使用し、ＳＣＣ受信チェーンを再度電源オフとする時間を示すことができる（つまり、この例では、インアクティビティタイマ長は２つのサブフレームであるが、これは異なり得る）。インアクティビティタイマは、ＳＣＣデータの受信毎に初期化、及び所望するサブフレーム数（又は、期間）に対してカウントアップ（又はカウントダウン、設計によって異なる）でき、そのポイントにて、ＵＥは、該当する（単一又は複数の）ＳＣＣ受信チェーンを電源切とできる。
【００３８】
図１２は、特定の実施形態に係る、（単一又は複数の）セカンダリコンポーネントキャリアの将来のスケジューリングを示す例示的なタイムライン１２００を示す。図１２に示すように、ＵＥが、接続された状態と、接続された、断続的な受信（Ｃ−ＤＲＸ）状態をサイクルしている場合は、Ｃ−ＤＲＸ状態にある場合に、特定の実施形態を使用してＳＣＣ受信回路を電源切にできる。例えば、ＰＤＣＣＨ及び／又はＰＤＳＣＨは、次のＣ−ＤＲＸオン期間中に、（単一又は複数の）ＳＣＣ受信回路を有効にする（又は無効にする）情報を含み得る。ＵＥがＣ−ＤＲＸスリープモードにある場合は、ＵＥは（単一又は複数の）ＳＣＣ受信チェーンを電源切とでき、該当する（ＰＤＣＣＨ及び／又はＰＤＳＣＨ受信情報内に示すような）Ｃ−ＤＲＸオン期間（つまり、この例では、サブフレーム６前後の第２のＣ−ＤＲＸオン期間）まで、それらを再度電源入にしない。このオン期間後、ＵＥがＳＣＣデータを受信していない場合、ＳＣＣ受信回路を再度電源切にし、電源入及び再チェックのための次の指示されたオン期間まで待機し得る。
【００３９】
情報及び信号は、いずれの様々な異なるテクノロジ及びテクニックを使用して表すことができることを当業者は理解するであろう。例えば、上記説明を通して参照され得るデータ、命令、コマンド、情報、信号、ビット、記号、及びチップは、電圧、電流、電磁波、磁界若しくは磁粉、光学場若しくは光学粒子、又はいずれのこれらの組み合わせにより表されてもよい。
【００４０】
本明細書に開示の例に関連して説明される様々な例示的論理ブロック、モジュール、及びアルゴリズムステップは、電子的ハードウェア、ファームウェア、コンピュータソフトウェア、ミドルウェア、マイクロコード、又はこれらの組み合わせとして実装されてもよいことを、当業者は更に認識するであろう。ハードウェア及びソフトウェアのこの互換性を明確に例示するため、様々な例示的構成部品、ブロック、モジュール、回路、及びステップが、一般にそれらの機能に関して上述されている。そのような機能が、ハードウェア又はソフトウェアとして実装されているかは、システム全体に付与された特定の用途、設計制約条件、又は好みによって異なる。当業者は、それぞれの特定の用途に対して様々な方法にて、説明された機能を実装してもよいが、そのような実装の決定は、開示された方法の範囲からの逸脱を引き起こすものとして解釈されるべきではない。
【００４１】
本明細書に開示の例に関連して説明された様々な例示的論理ブロック、構成部品、モジュール、及び回路は、本明細書に説明する機能を実行するよう設計された、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別のゲート又はトランジスタロジック、個別のハードウェア構成部品、又はいずれのそれらの組み合わせを用いて実装又は実行されてもよい。汎用プロセッサはマイクロプロセッサとしてもよいが、代替に、プロセッサはいずれの従来のプロセッサ、コントローラ、マイクロコントローラ、又はステートマシンとしてもよい。プロセッサはまた、コンピューティングデバイスの組み合わせとして実装されてもよい。例えば、ＤＳＰ及びマイクロプロセッサの組み合わせ、複数のマイクロプロセッサ、ＤＳＰコアと併せての１つ以上のマイクロプロセッサ、又はいずれの他のそのような構成。
【００４２】
本明細書に開示の例に関連して説明された方法又はアルゴリズムのステップは、ハードウェア、１つ以上の処理要素によって実行される１つ以上のソフトウェアモジュール、又はこの２つの組み合わせの中に直接具体化されてもよい。ソフトウェアモジュールは、当業者に既知の、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又はいずれの他の記憶媒体の形態又は組み合わせの中に存在してもよい。記憶媒体の一例として、プロセッサが記憶媒体から情報を読むことができ、情報を書き込むことができるよう、プロセッサに接続されているものがある。代替では、記憶媒体はプロセッサに統合されてもよい。プロセッサ及び記憶媒体は、特定用途向け集積回路（ＡＳＩＣ）中に存在してもよい。ＡＳＩＣは、ワイヤレスモデム中に存在してもよい。代替では、プロセッサ及び記憶媒体は、ワイヤレスモデム内の個別の構成部品として存在してもよい。
【００４３】
開示された例の先の説明は、開示された方法及び装置を当業者が作成又は使用できるよう提供されている。これらの例に対する様々な修正は、当業者には容易に明らかとなるものであり、本明細書で定義される原理は、加えられ得る他の例及び要素に適用することができる。
【図１】
0006534619.tif 000002
【図２】
0006534619.tif 000003
【図３】
0006534619.tif 000004
【図４】
0006534619.tif 000005
【図５】
0006534619.tif 000006
【図６】
0006534619.tif 000007
【図７】
0006534619.tif 000008
【図８】
0006534619.tif 000009
【図９】
0006534619.tif 000010
【図１０】
0006534619.tif 000011
【図１１】
0006534619.tif 000012
【図１２】
0006534619.tif 000013